(57)【要約】      （修正有）【課題】複合材ベースの付加製造のためのシステム及び方法に関し、より具体的には、個々のラミネート層を三次元の物体、部品、及び構成要素（３Ｄ物体）を形成及び／又は製造するように構築されるようにするプロセスの提供。【解決手段】印刷繊維状シートの積み重ね１３８が構築されるとともに、周期的に、穴あきプレートが、積み重ねの最上部のシートに接して積まれ、上方及び／又は下方に面する返し棘を備えた針のアレイがガイドプレート内の穴を通りガイドプレートに最も近い印刷シートを通って積み重ねに突き刺される、フェルト針上の返し棘は、繊維状シート１３２からの繊維を、印刷マーキング材料を通って、かつ、隣接するシートと絡み合わせることにより、針アレイがその後のニードリングのスラストがわずかに新しい位置で生じ得るように、複数のスラスト間でわずかに並進することができる印刷シート繊維交絡装置。【選択図】図１
2020165072.tif 000002
【特許請求の範囲】
【請求項１】
付加製造システムからの積み重ねられた印刷繊維状シートを交絡するための印刷シート繊維交絡装置であって、
印刷繊維状シートの積み重ねを支えるように構成されたベッドプレートであって、各印刷繊維状シートは、所望の３Ｄ物体のスライスのためのパターンが形成され、位置決め開口を含み、前記印刷シートのうちの少なくとも１つは、その中に繊維を有する、ベッドプレートと、
前記ベッドプレートと位置合わせされ、前記位置決め開口を通って延在して、前記積み重ねの前記印刷繊維状シートを前記ベッドプレート上に整列させて維持する位置決めピンと、
前記ベッドプレートと位置合わせされたガイドプレートであって、前記ガイドプレートは、前記ガイドプレートを通って垂直に延在する開口のアレイを有し、前記ガイドプレートは、前記ベッドプレートに向かって、印刷繊維状シートの前記積み重ねに接する第１の位置と、前記ベッドプレートから離れて、追加の印刷繊維状シートを前記積み重ね上に載置することを可能にする第２の位置と、の間を往復するように構成された、ガイドプレートと、
前記ベッドプレートの反対側の前記ガイドプレートに隣接する針ボードと、
前記針ボードによって保持され、前記ベッドプレートに向かって延在するフェルト針のアレイと、を備え、前記フェルト針のアレイが前記ガイドプレートの開口のアレイと位置合わせされており、前記フェルト針が、前記ガイドプレートが前記第１の位置にあるときに前記開口のアレイを通る挿入を介して前記ガイドプレートに隣接する複数の前記印刷繊維状シートを通る往復のために、及び更に前記ガイドプレートに隣接する前記複数の前記印刷繊維状シートを通る挿入のために配設されており、前記フェルト針が、その外周面に、前記積み重ねの前記複数の印刷繊維状シートのうちの１つからの繊維を、前記印刷繊維状シート上の印刷マーキング材料を通って、前記積み重ねの隣接する印刷繊維状シートの繊維と絡み合わせるように構成された返し棘を有している、装置。
【請求項２】
前記返し棘が、前記繊維を引っ張るように構成された上向きの返し棘である、請求項１に記載の装置。
【請求項３】
前記フェルト針のうちの１つの前記返し棘は、前記繊維を引っ張るように構成された上向きの返し棘であり、前記フェルト針のうちの前記１つに隣接する前記フェルト針のうちの第２の１つの前記返し棘は、前記繊維を押すように構成された下向きの返し棘である、請求項１に記載の装置。
【請求項４】
基部と、前記ベッドプレートと、前記基部に取り付けられ、前記ベッドプレートを通って前記ガイドプレートに向かって延在する前記位置決めピンとを含む、前記ベッドプレート及び前記基部の動作の位置合わせを維持するための積み重ねデバイスを更に備える、請求項１に記載の装置。
【請求項５】
前記ガイドプレートの開口のアレイの前記開口が、前記ベッドプレートの表面平面を横切る細長いスロット形状を有し、前記針ボードが、前記複数の印刷繊維状シートを通る後続の挿入のために、前記フェルト針のアレイの前記印刷繊維状シートの積み重ねからの引き抜きの後に、前記ガイドプレートに対して横方向に並進するように構成された、請求項１に記載の装置。
【請求項６】
前記ガイドプレート及び前記針ボードの両方が、前記複数の印刷繊維状シートを通る後続の挿入のために、前記印刷繊維状シートの積み重ねからの前記フェルト針のアレイの引き抜きの後で、前記印刷繊維状シートの積み重ねに対して横方向に並進するように構成された、請求項１に記載の装置。
【請求項７】
前記繊維が、ケブラー繊維、ナイロン繊維、及びポリエステル繊維のうちの１つである、請求項１に記載の装置。
【請求項８】
前記少なくとも１つの印刷シートが、炭素と、ケブラー繊維、ナイロン繊維、及びポリエステル繊維のうちの１つである繊維と、を有するハイブリッド繊維シートである、請求項１に記載の装置。
【請求項９】
付加製造システムからの積み重ねられた印刷繊維状シートを交絡させるための方法であって、
印刷繊維状シートを別の印刷繊維状シートの上に載置して、ベッドプレート上に印刷繊維状シートの積み重ねを形成することであって、各印刷繊維状シートは、所望の３Ｄ物体のスライスのためのパターンが形成され、位置決め開口を含み、前記印刷シートのうちの少なくとも１つが、その中に繊維を有し、前記印刷繊維状シートを前記載置することが、前記印刷繊維状シートを、前記ベッドプレートと位置合わせされ、前記印刷繊維状シートの前記位置決め開口を通って延在する位置決めピンを介して、前記別の印刷繊維状シートと位置合わせすることを含む、印刷繊維状シートを載置することと、
前記印刷繊維状シートの積み重ねに押し付けられた第１の位置で前記印刷繊維状シートの積み重ねにガイドプレートで圧力を加えることであって、前記ガイドプレートが、前記ガイドプレートを通って垂直に延在する開口のアレイを有する、加えることと、
針ボードによって保持され、前記ガイドプレートの開口のアレイ及び前記ガイドプレートに隣接する複数の前記印刷繊維状シートを通って前記ベッドプレートに向かって延在するフェルト針のアレイを、往復させることであって、前記往復させることが、前記ガイドプレートが前記第１の位置にあるときに前記フェルト針を前記開口のアレイに挿入することと、前記ガイドプレートに隣接する複数の前記印刷繊維状シートを通して前記フェルト針を更に挿入することと、を含み、前記往復させることが、前記フェルト針を前記印刷繊維状シートの積み重ねから引き抜くことを更に含み、前記フェルト針が、前記往復させるの間に、前記積み重ねの前記複数の印刷繊維状シートのうちの１つからの繊維を前記印刷繊維状シート上の印刷されたマーキング材料を通って前記積み重ねの隣接する印刷繊維状シートの繊維と絡み合わせるように構成された返し棘を有する、往復させることと、を含む、方法。
【請求項１０】
前記返し棘が、前記積み重ねの前記複数の印刷繊維状シートのうちの前記１つからの前記繊維を前記ガイドプレートにより近い前記積み重ねの前記隣接する印刷繊維状シート内に引き込む上向きの返し棘であることを更に含む、請求項９に記載の方法。
【請求項１１】
前記フェルト針のアレイを往復させることが、前記フェルト針のうちの１つの前記返し棘が、前記積み重ねの前記複数の印刷繊維状シートのうちの前記１つからの繊維を、前記返し棘で前記ベッドプレートにより近い前記積み重ねの前記隣接する印刷シート内に押し込む下向きの返し棘であることと、前記フェルト針のうちの別の１つの別の返し棘が、前記積み重ねの前記複数の印刷繊維状シートのうちの前記１つからの繊維を、前記ガイドプレートにより近い前記積み重ねの別の隣接する印刷シート内に引き込む上向きの返し棘であることと、を更に含む、請求項９に記載の方法。
【請求項１２】
前記位置決めピンを積み重ねデバイスの基部から前記ベッドプレートを通って前記ガイドプレートに向かって延在させて、前記ベッドプレート及び前記基部の動作の位置合わせを維持することを更に含む、請求項９に記載の方法。
【請求項１３】
前記ガイドプレートの開口のアレイの前記開口が、前記ベッドプレートの表面平面を横切る細長いスロット形状を有し、前記複数の印刷繊維状シートを通る後続の挿入のために、前記印刷繊維状シートの積み重ねからの前記フェルト針のアレイの引き抜きの後に、前記ガイドプレートに対して前記針ボードを横方向に並進させることを更に含む、請求項９に記載の方法。
【請求項１４】
前記複数の印刷繊維状シートを通る後続の挿入のために、前記印刷繊維状シートの積み重ねからの前記フェルト針のアレイの引き抜きの後に、前記ガイドプレート及び前記針ボードの両方を前記印刷繊維状シートの積み重ねに対して横方向に並進させることを更に含む、請求項９に記載の方法。
【請求項１５】
付加製造システムのスタッカサブシステムであって、
ダイホルダと位置合わせされたパンチホルダであって、前記パンチホルダが、前記パンチホルダと前記ダイホルダとの間に供給される前記印刷基材ウェブの送達経路を横断する方向に、前記ダイホルダに向かって、かつ前記ダイホルダから離れて往復するように構成されており、前記パンチホルダが、前記ダイホルダに隣接するキャビティ孔を有するキャビティを前記パンチホルダ内に有し、前記ダイホルダが、前記パンチホルダの前記キャビティに対応する、前記ダイホルダ内を通るチャネルを有し、前記パンチホルダ及び前記ダイホルダが前記パンチホルダと前記ダイホルダとの間に前記印刷基材ウェブを受け入れるように構成されており、前記印刷基材ウェブが、複数の印刷繊維状シートを含み、各印刷繊維状シートは、所望の３Ｄ物体のスライスのためのパターンが形成され、位置決め開口を含み、前記印刷シートのうちの少なくとも１つは、その中に繊維を有する、パンチホルダと、
外周に離間した関係で前記キャビティ内に摺動自在に受け入れられるパンチプレートであって、前記パンチプレートが、前記印刷基材ウェブの前記送達経路を横断する方向に、前記パンチホルダ内の凹位置と、前記ダイホルダの前記チャネル内に延在する切断位置との間を往復して、前記印刷基材ウェブから基材シートを切断するように構成され、前記パンチプレートは、開口を画定している内周壁を有する、パンチプレートと、
前記切断された印刷繊維状シートの積み重ねを支えるように構成されたベッドプレートと、
前記ベッドプレートと位置合わせされ、前記位置決め開口を通って延在して、前記積み重ねの前記切断された印刷繊維状シートを前記ベッドプレート上で整列させて維持する位置決めピンと、
前記ベッドプレートと位置合わせされ、内部を通って垂直に延在する開口のアレイを有するガイドプレートであって、前記ベッドプレートに向かって、前記切断された印刷繊維状シートを前記切断された印刷繊維状シートの積み重ねに対して付勢する第１の位置と、前記ベッドプレートから離れて、追加の切断された印刷繊維状シートを前記積み重ね上に載置することを可能にする第２の位置と、の間を往復するように構成された、ガイドプレートと、
前記ベッドプレートの反対側の前記ガイドプレートに隣接する針ボードと、
前記針ボードによって保持され、前記ベッドプレートに向かって延在するフェルト針のアレイと、を備え、前記フェルト針のアレイが前記ガイドプレートの開口のアレイと位置合わせされており、前記フェルト針が、前記ガイドプレートが前記第１の位置にあるときに前記開口のアレイを通る挿入を介して前記ガイドプレートに隣接する複数の前記印刷繊維状シートを通る往復のために、及び更に前記ガイドプレートに隣接する前記複数の印刷繊維状シートを通る挿入のために配設されており、前記フェルト針が、その外周面に、前記積み重ねの前記複数の印刷繊維状シートのうちの１つからの繊維を、前記印刷繊維状シート上の印刷マーキング材料を通って、前記積み重ねの隣接する印刷繊維状シートの繊維と絡み合わせるように構成された返し棘を有する、スタッカサブシステム。
【請求項１６】
前記返し棘が、前記繊維を引っ張るように構成された上向きの返し棘である、請求項１に記載の装置。
【請求項１７】
前記フェルト針のうちの１つの前記返し棘が、前記繊維を引っ張るように構成された上向きの返し棘であり、前記フェルト針のうちの前記１つに隣接する前記フェルト針のうちの第２の１つの前記返し棘は、前記繊維を押すように構成された下向きの返し棘である、請求項１に記載の装置。
【請求項１８】
基部と、前記ベッドプレートと、前記基部に取り付けられ、前記ベッドプレートを通って前記ガイドプレートに向かって延在する前記位置決めピンとを含む、前記ベッドプレート及び前記基部の動作の位置合わせを維持するための、積み重ねデバイスを更に備える、請求項１に記載の装置。
【請求項１９】
前記ガイドプレートの開口のアレイの前記開口が、前記ベッドプレートの表面平面を横切る細長いスロット形状を有し、前記針ボードが、前記複数の切断された印刷繊維状シートを通る後続の挿入のために、前記切断された印刷繊維状シートの積み重ねからの前記フェルト針のアレイの引き抜きの後で、前記ガイドプレートに対して横方向に並進するように構成された、請求項１に記載の装置。
【請求項２０】
前記ガイドプレート及び前記針ボードの両方が、前記複数の切断された印刷繊維状シートを通る後続の挿入のために、前記切断された印刷繊維状シートの積み重ねからの前記フェルト針のアレイの引き抜きの後で、前記切断された印刷繊維状シートの積み重ねに対して横方向に並進するように構成された、請求項１に記載の装置。
【発明の詳細な説明】
【技術分野】
【０００１】
本開示は、概して、複合材ベースの付加製造のためのシステム及び方法に関し、より具体的には、個々のラミネート層を三次元の物体、部品、及び構成要素（３Ｄ物体）を形成及び／又は製造するように構築されるようにするプロセスに関する。
【背景技術】
【０００２】
一般的に、出力製品の成形又は機械加工の様々な形態を含んでいた従来の物体、部品、及び構成要素の製造プロセスは、「付加製造」又はＡＭ技術と地球規模で呼ばれる新しい種類の技術の商業的実装を含むように拡張されている。これらのＡＭ技術は、一般に、特別の材料堆積及び硬化スキームに従う製造過程の３Ｄ物体上に未完成の状態で時には有毒か、そうでなければ危険である付加材料の層が、連続的に堆積される「固体自由形形状製作（ＳＦＦ）」、又は「３Ｄ印刷」とどちらかで呼ばれるプロセスを伴う。３Ｄ物体成形プロセスで各層が追加されるにつれて、新たな材料層が追加され、既に存在する１つ以上の層に付着される。次いで、各ＡＭ層は、少なくとも部分的に、３Ｄ物体構築プロセスでの任意の次のＡＭ層の堆積前に、個々に硬化することができる。３Ｄ作業エンベロープ全体を通したこの連続層材料の追加／接合は、様々なレベルの精巧化の自動制御下で実行される。
【０００３】
ＡＭ製造技術としては、限定するものではないが、３Ｄ印刷物体を製造するために使用可能な「３Ｄ印刷」技術と広く呼ばれるようになった技術が挙げられる。３Ｄ印刷技術は、画像受信媒体基材上に２次元（２Ｄ）印刷画像を形成するための周知のプロセスから適応された、及びそれにいくつかの点で類似しているように見える、１つ以上のプロセスを採用する。３Ｄ印刷技術によって製作される出力構造の有意な差は、一般的に、（１）３Ｄプリンタから出力された３Ｄ印刷物体を形成するために使用される堆積材料の組成、及び／又は（２）比較的多数の連続する（及び非常に薄い）層を堆積させて層を出力された３Ｄ印刷物体の形態に構築する際に「印刷」ヘッドによってなされるパスの数、に基づく。
【０００４】
いくつかの粉末ベースのＡＭ技術が商業化されてきた。これらは、選択的レーザ焼結（ＳＬＳ）、並びに３Ｄ印刷のためのトナーベースの２Ｄ印刷技術の特定の適合を含む。当業者であれば、これらの実装態様のうちの特定のものでは、特定の複雑な形状の生成を支えるために、別個の支持構造が通常必要とされないことを認識する。これらのプロセスのうちの特定のものでは、粉末材料は、余剰な粉末が手動で除去されて３Ｄ物体に選択的に固化される。ＳＬＳプロセスでは、例えば、粉末の薄層がワークスペース容器内に堆積され、次いで、粉末が、所望の断面形状をトレースするレーザビームを使用して融合される。このプロセスは、粉末の層を堆積させることによって繰り返され、このようにして、３Ｄ物体が１層ずつ構築される。典型的なトナーベースの３Ｄ印刷プロセスでは、バインダ材料は、各粉末層上の３Ｄ物体の断面の形状にバインダを一般的に印刷するのに使用される印刷技術で層に堆積された粉末を選択的に結び付ける。
【０００５】
ここで、拡大する数のＡＭ又は３Ｄ印刷プロセス及び技術が利用可能である。これら多数のＡＭ又は３Ｄ印刷プロセス間を区別する主な特性は、層が堆積されて出力３Ｄ物体を作製する方法、及び出力３Ｄ物体を形成するために使用される材料にある。
【０００６】
ＡＭ技術（この用語は、本開示の残りの部分全体を通して３Ｄ印刷を含む様々な３Ｄ物体の積層及び構築技術を指すために使用される）のあるものは、例えば、選択的レーザ溶融又は加えられた熱を介した入力材料の焼結などの技術を使用して材料を溶融又は軟化させて構築層を製作する。ＡＭ製造技術の他のものは、噴射された（インク）材料の「印刷」技術などの液体材料の堆積技術を使用して液体材料を堆積及び硬化させる。
【０００７】
いくつかの３Ｄプリンタは、炭素繊維などの繊維シート上に部分断面の像にプラスチックを印刷し、次いで、多くのシートを積み重ねて、プラスチック及び圧縮された積み重ねを溶融又は硬化させるために積み重ねが加熱された後で３Ｄ部品になる積み重ねを形成するプロセスを使用する。接着されていない余剰な繊維状シートは、サンドブラスト又は他の方法によって除去される。部品強度は、繊維の強度によって支配される。層間強度は、プラスチックバインダの強度によって支配される。３Ｄ部品の層強度を増加させることは有益であるはずである。
【発明の概要】
【課題を解決するための手段】
【０００８】
本開示で具体化された前述の及び／又は他の態様及びユーティリティは、付加製造システムからの積み重ね印刷繊維状シートを交絡させるための印刷シート繊維交絡装置を提供することによって達成することができ、当該印刷シート繊維交絡装置は、ベッドプレート、位置決めピン、ガイドプレート、針ボード、及びフェルト針のアレイを有する。ベッドプレートは、印刷繊維状シートの積み重ねを支えることができ、各印刷繊維状シートは、所望の３Ｄ物体のスライスのためのパターンが形成され、位置決め開口を含む。位置決めピンはベッドプレートと位置合わせされ、位置決め開口を通って延在して、積み重ねの印刷繊維状シートをベッドプレート上に整列させて維持する。ガイドプレートはベッドプレートと位置合わせされ、ガイドプレートを通って垂直に延在する開口のアレイを有する。ガイドプレートは、ベッドプレートに向かう、印刷繊維状シート積み重ねに対する第１の位置と、ベッドプレートから離れた、追加の印刷繊維状シートを積み重ね上に載置することを可能にする第２の位置との間を、往復することができる。針ボードは、ベッドプレートの反対側のガイドプレートに隣接している。フェルト針のアレイは、針ボードによって保持され、ベッドプレートに向かって延在し、フェルト針のアレイはガイドプレートの開口のアレイと位置合わせされている。フェルト針は、ガイドプレートが第１の位置にあるときに開口のアレイを通って挿入されるように、更に、ガイドプレートに隣接する複数の印刷繊維状シートを通って挿入されるように配設される。フェルト針は、その周囲表面に、積み重ねの複数の印刷繊維状シートのうちの１つから、積み重ねの隣接する印刷繊維状シートに繊維を移動させるように構成された返し棘を有する。
【０００９】
本明細書に例示される態様によれば、印刷繊維状シートを繊維交絡させて印刷繊維状シートの積み重ねを接着するための例示的な方法が記載される。本方法は、印刷繊維状シートを別の印刷繊維状シートの上に載置して、ベッドプレート上に印刷繊維状シートの積み重ねを形成することを含むことができ、各印刷繊維状シートは、所望の３Ｄ物体のスライスのためのパターンが形成され、位置決め開口を含み、印刷シートの一方が内部に繊維を含む。印刷繊維状シートを載置することは、印刷繊維状シートを、ベッドプレートと位置合わせされ印刷繊維状シートの位置決め開口を通って延在する位置決めピンを介して、印刷繊維状シートと位置合わせさせることを含む。本方法は、印刷繊維状シートの積み重ねに押し付けられた第１の位置にガイドプレートであって、当該ガイドプレートを通って垂直に延在する開口のアレイを有したガイドプレートで印刷繊維状シートの積み重ねに圧力を加えることと、針ボードによって保持され、ガイドプレートの開口のアレイ及びガイドプレートに隣接する複数の印刷繊維状シートを通ってベッドプレートに向かって延在するフェルト針のアレイを往復させることと、を更に含んでもよい。往復させることは、ガイドプレートが第１の位置にあるときに、開口のアレイを通してフェルト針を挿入することと、ガイドプレートに隣接する複数の印刷繊維状シートを通してフェルト針を更に挿入することとを含む。往復させることは、印刷繊維状シートの積み重ねからフェルト針を引き抜くことを更に含み、当該フェルト針は、往復させる間に積み重ねの複数の印刷繊維状シートのうちの１つから繊維を積み重ねの隣接する印刷繊維状シートの繊維と絡み合わせるように構成された返し棘を有する。
【００１０】
本明細書に記載される態様によれば、付加製造システムのスタッカサブシステムは、パンチホルダと、ダイホルダと、パンチプレートと、ベッドプレートと、位置決めピンと、ガイドプレートと、針ボードと、フェルト針のアレイと、を備える。パンチホルダは、ダイホルダに整列され、パンチホルダは、パンチホルダとダイホルダとの間に供給される印刷基材ウェブの送達経路を横断する方向で、ダイホルダに向かう方向及びそれから離れる方向に往復するように構成されている。パンチホルダは、ダイホルダに隣接したキャビティ孔を有したキャビティを内部に有する。ダイホルダは、そこを通るパンチホルダのキャビティに対応するチャネルを有し、パンチホルダ及びダイホルダは、その間に印刷された基材ウェブを受け入れるように構成される。印刷された基材ウェブは、複数の印刷繊維状シートを有し、各印刷繊維状シートは、所望の３Ｄ物体のスライスのためのパターンが形成され、位置決め開口を含む。パンチプレートは、キャビティ内に、周辺が間隔を置かれた関係で、摺動して受け入れられ、パンチプレートは、印刷基材ウェブの送達経路を横断する方向で、パンチホルダ内の凹位置と、ダイホルダのチャネル内に延在された、基材シートを印刷基材ウェブから切断するための切断位置との間を往復するように構成される。パンチプレートは、開口を画定する内周壁を有する。ベッドプレートは、切断された印刷繊維状シートの積み重ねを支えるように構成される。位置決めピンはベッドプレートと位置合わせされ、位置決め開口を通って延在して、積み重ねの切断印刷繊維状シートをベッドプレート上に整列させて維持する。ガイドプレートは、ベッドプレートに位置合わせされ、ガイドプレートを通って垂直に延在する開口のアレイを有する。ガイドプレートは、ベッドプレートに向かって、切断印刷繊維状シートを切断印刷繊維状シートの積み重ねに対して付勢する第１の位置と、ベッドプレートから離れて、追加の切断印刷繊維状シートを積み重ね上に載置することを可能にする第２の位置との間を往復するように構成される。針ボードは、ベッドプレートの反対側のガイドプレートに隣接している。フェルト針のアレイは、ニードルボードによって保持され、ベッドプレートに向かって延在し、フェルト針のアレイはガイドプレートの開口のアレイと位置合わせされている。フェルト針は、ガイドプレートが第１の位置にあるときに開口のアレイを通って挿入されるように、また、ガイドプレートに隣接する複数の切断印刷繊維状シートを通って挿入されるように配設される。フェルト針は、積み重ねの複数の切断された印刷繊維状シートのうちの１つから、積み重ねの隣接する切断された印刷繊維状シートに繊維を移動させるように構成された返し棘を周囲表面に有する。
【図面の簡単な説明】
【００１１】
【図１】実施形態の一実施例による３Ｄ物体を印刷するための付加製造システムの側面図。
【図２】印刷シート繊維交絡装置を有する例示的なスタッカサブシステムの側面図。
【図３】図２の印刷されたシート繊維交絡装置の針ボード、フェルト針のアレイ、及びガイドプレートの側面図。
【図４】一実施例による、フェルト針引き抜き後の繊維状シートの積み重ねの断面を示す側面分解図。
【図５】付加製造及び印刷シート繊維交絡スキームを実装するための例示的な制御システムのブロック図。
【図６】印刷繊維状シートを繊維交絡させて印刷繊維状シートの積み重ねを接着するための例示的な方法の動作を描写するフローチャート。
【発明を実施するための形態】
【００１２】
本明細書に開示されるデバイス、システム、及び方法の例示的な実施例が以下に提供される。デバイス、システム、及び方法の一実施形態は、以下に記載される実施例のうちの任意の１つ以上、及び任意の組み合わせを含むことができる。しかしながら、本発明は、多くの異なる形態で具体化されてもよく、以下で説明される実施形態に限定されるものとして解釈されるべきではない。むしろ、これらの例示的な実施形態は、本開示が完全かつ完璧になり、本発明の範囲を当業者に十分に伝えるように提供されている。したがって、例示的な実施形態は、本明細書に記載されるような装置、機構、及び方法の趣旨及び範囲内に含まれ得るような全ての代替物、修正物、及び等価物を網羅することが意図される。
【００１３】
我々は、本開示の詳細を不必要に不明瞭にしないように、周知の出発材料、処理技術、構成要素、機器、及び他の周知の詳細の説明を単に要約するか、又は省略してもよいことを最初に指摘している。したがって、我々は、詳細が他の方法で周知である場合、本開示の出願を、それらの詳細に関する選択肢を提案又は指示するままにしておく。図面は、基材ウェブに印刷しＡＭ製造用のウェブの個々のシートを自動的に積み重ねるための例示的な方法、装置、及びシステムの実施形態に関連する様々な実施例を描写する。
【００１４】
本明細書における任意の数値範囲を指すとき、このような範囲は、規定の範囲の最小値と最大値との間のそれぞれ及び全ての数及び／又は分数を含むと理解される。例えば、０．５〜６％の範囲は、端点０．５％及び６％に加えて、０．６％、０．７％、及び０．９％から５．９５％、５．９７％、及び５．９９％までの全ての中間値（５．９５％、５．９７％、及び５．９９％を含む）を明示的に含む。同じことは、文脈がそうでないことを明確に指示しない限り、本明細書に説明される数値特性及び／又は要素範囲にも互いに当てはまる。
【００１５】
量に関連して使用される修飾語「約」は、記述された値を含み、文脈によって規定される意味を有する（例えば、それは、少なくとも特定の量の測定に関連する誤差の程度を含む）。特定の値と共に使用される場合、それはその値を開示しているとも見なされるべきである。例えば、用語「約２」はまた、値「２」及び「約２〜約４」の範囲も開示し、また、「２〜４」の範囲も開示する。
【００１６】
用語「媒体」、「ウェブ」、「ウェブ基材」、「印刷基材」、及び「基材シート」という用語は、一般に、予め切断されているか又はウェブが供給されているか否かにかかわらず、通常は可撓性の紙、ポリマー、マイラー材料、プラスチック、又は他の好適な物理的印刷媒体基材、シート、ウェブなどを指す。列挙された用語「媒体」、「印刷媒体」、「印刷基材」、及び「印刷シート」はまた、当業者に容易に理解されるように、織布、不織布、金属フィルム、炭素繊維強化材料及び箔を含んでもよい。
【００１７】
本明細書で使用するとき、用語「マーキング材料」は、画像形成デバイスによってウェブ基材に堆積されて、基材上に画像を形成する印刷物を指すことができる。列挙された用語「マーキング材料」は、インク、トナー、金属粒子、プラスチック、顔料、粉末、溶融材料、ポリアミド、ナイロン、ガラス充填ポリアミド、エポキシ樹脂、バイオベース樹脂、ワックス、グラファイト、グラフェン、炭素繊維、光重合体、ポリカーボネート、ポリエチレン、ポリ乳酸（ＰＬＡ）、ポリビニルアルコール（ＰＶＡ）、ＡＢＳフィラメント、高密度ポリエチレン（ＨＤＰＥ）、高衝撃ポリスチレン（ＨＩＰＳ）、ポリエチレンテレフタレート（ＰＥＴＴ）、セラミック、導電性フィラメント、及び他のインクジェット材料を含むことができる。
【００１８】
本明細書で使用するとき、用語「画像形成デバイス」、「印刷デバイス」又は「プリンタ」は、デジタル複写機、スキャナ、画像印刷機、電子写真デバイス、デジタル製造プレス、文書処理システム、画像再生機、ブック製造機、ファクシミリ機、多機能マシン等、などの任意の目的のために印刷出力機能を実行する任意の装置を包含し、いくつかのマーキングエンジン、供給機構、走査アセンブリ、並びに、ペーパーフィーダ、フィニッシャなどの他の印刷媒体処理ユニットなどを含むことができる。画像形成デバイスは、シート、ウェブ、マーキング材料などを扱うことができる。画像形成デバイスは、任意の表面等にマークを置くことができ、入力シート上のマークを読み取る任意の機械であり、又はこのような機械の任意の組み合わせである。３Ｄプリンタは、３Ｄ物体等を作製することができる。図に示される構造体は、簡略化のために描かれていない追加の特徴を含み得るが、描写された構造は除去又は修正されてもよいことは理解されるであろう。
【００１９】
用語「制御器」は、本明細書では、一般に、プロセス又は機械を指示又は調節する１つ以上のデバイスの動作に関する様々な装置を説明するために使用される。制御器は、本明細書で論じられる様々な機能を実行するための多数の方法（例えば、専用ハードウェアなど）で実装することができる。「プロセッサ」は、本明細書で論じる様々な機能を実行するためのソフトウェア（例えば、マイクロコード）を使用してプログラムされ得る１つ以上のマイクロプロセッサを採用する制御器の一例である。制御器は、プロセッサを採用して又は採用せずに実装されてもよく、また、いくつかの機能を実行するための専用ハードウェアと他の機能を実行するためのプロセッサ（例えば、１つ以上のプログラムされたマイクロプロセッサ及び関連する回路）の組み合わせとして実装されてもよい。本開示の様々な実施形態で採用され得る制御器構成要素の例としては、従来のマイクロプロセッサ、特定用途向け集積回路（ＡＳＩＣ）、及びフィールドプログラマブルゲートアレイ（ＦＰＧＡ）が挙げられるが、これらに限定されない。
【００２０】
実施例は、計算デバイス上で実行されるときに、本明細書に開示されるような方法を実装又は実行するための、複数の命令を含む、少なくとも１つの機械可読媒体を更に含む。このようなコンピュータ可読媒体は、汎用又は専用コンピュータによってアクセスすることができる任意の利用可能な媒体であり得る。例としてであって、限定するものではないが、このようなコンピュータ可読媒体は、ＲＡＭ、ＲＯＭ、ＥＥＰＲＯＭ、ＣＤ−ＲＯＭ又は他の光ディスク記憶デバイス、磁気ディスク記憶デバイス又は他の磁気記憶デバイス、あるいは、コンピュータ実行可能命令又はデータ構造の形態の所望のプログラムコード手段を搬送又は格納するために使用することができる任意の他の媒体を含むことができる。情報がネットワーク又は別の通信接続（有線、無線、又はそれらの組み合わせのいずれか）を介してコンピュータに情報が転送又は提供されると、コンピュータは、コンピュータ可読媒体としての接続を適切に見る。したがって、任意のそのような接続は、適正にコンピュータ可読媒体と呼ばれる。上記の組み合わせも、コンピュータ可読媒体の範囲内に含まれるべきである。
【００２１】
コンピュータ実行可能命令としては、例えば、汎用コンピュータ、専用コンピュータ、又は専用処理デバイスに特定の機能又は機能群を実行させる命令及びデータが挙げられる。コンピュータ実行可能命令はまた、スタンドアロン環境又はネットワーク環境でコンピュータによって実行されるプログラムモジュールも含む。一般に、プログラムモジュールは、特定のタスクを実行するか、又は特定の抽象データ型を実装するルーティン、プログラム、オブジェクト、構成要素、及びデータ構造などを含む。コンピュータ実行可能命令、関連するデータ構造、及びプログラムモジュールは、本明細書に開示される方法のステップを実行するためのプログラムコード手段の実施例を表す。このような実行可能命令又は関連するデータ構造の特定のシーケンスは、そこに記載される機能を実装するための対応する行為の実施例を表す。
【００２２】
本明細書で使用するとき、別段の定めがない限り、用語「物体」はまた、部品、要素、部片、又は構成要素を意味することもできる。本明細書で使用するとき、物体は、３Ｄ印刷システム（プリンタ）によって個別に構築されるか、又は実際に構築される３Ｄ物体を指す。本明細書で言及されるような物体は、一体型部品を形成するように層を連続的に追加することによって構築される。いくつかのプリンタは、同じ印刷ジョブの一部として、複数の独立した３Ｄ物体を含む３Ｄモデルから複数の独立した部片を構築可能である。物体は、物体本体に埋め込まれた空隙を含むことができる。
【００２３】
本発明の実施形態はこの点に関して限定されるものではないが、例えば、「処理」、「コンピューティング」、「計算する」、「決定する」、「使用する」、「確立する」、「分析する」、「チェックする」などの用語を利用する議論は、コンピュータのレジスタ及び／又はメモリ内の物理的な（例えば、電子な）量として表されるデータを、動作及び／又はプロセスを実行するための命令を格納することができる、コンピュータのレジスタ及び／又はメモリ又は他の情報記憶媒体内の物理量として同様に表わされる他のデータに操作及び／又は変換する、コンピュータ、コンピューティングプラットフォーム、コンピューティングシステム、又は他の電子コンピューティングデバイスの動作及び／又はプロセスを指すことができる。
【００２４】
図１は、３Ｄ物体を印刷するための例示的なＡＭシステム１００のブロック図である。ＡＭシステム１００は、材料供給器１０２、画像形成デバイス１０４、粉末サブシステム１０６、定着器１０８、センサ１１０、カッタ１１２、移送サブシステム１１４、スタッカサブシステム１１６、及び様々な構成要素を接続及び制御する他のフィーチャなどの構成要素を備えることができる。例示的な構成要素が図１に示されているが、様々な代替の及び任意選択の構成要素もまた、システム１００と共に使用するのに好適である。
【００２５】
例示的な実装形態では、三次元（３Ｄ）物体は、コンピュータ支援設計（ＣＡＤ）プログラムによって作製された、物体のコンピュータ３Ｄモデルに従って印刷される。例えば、ＣＡＤプログラムは、自由形態非一様有理Ｂスプライン（ＮＵＲＢＳ）プログラムであってもよく、又はＣＡＤプログラムは、ソリッドワークス（Ｓｏｌｉｄ  Ｗｏｒｋｓ）（登録商標）であってもよい。ＡＭシステム１００では、マーキング材料１４８（例えば、粉末）（図４）は、粉末サブシステム１０６によって、画像形成デバイス１０４によって規定されるような３Ｄ物体の薄いスライス又は層の「陽画像」に対応する基材材料１１８（又はその基材シート）上の物理的パターンに選択的に堆積される。３Ｄ物体の各スライスにつき、３Ｄ物体が存在するスライス内の位置に対応するパターンに粉末が取り付けられ、３Ｄ物体が存在しないスライス内の位置では、粉末は基材に取り付けられない。３Ｄ  ＣＡＤモデルの薄いスライスは、例えば、ＳＴＬファイル形式の３Ｄモデルから開始し、ｎｅｔｆａｂｂ（登録商標）スタジオソフトウェアのスライスコマンダフィーチャ（Ｓｌｉｃｅ  Ｃｏｍｍａｎｄｅｒ  ｆｅａｔｕｒｅ）（ｎｅｔｆａｂｂ  ＧｍｂＨ，Ｐａｒｓｂｅｒｇ，Ｇｅｒｍａｎｙから入手可能）を使用して、薄いスライスを作製することによって作製することができる。指定された３Ｄ部品又は物体を作製するために必要な数だけの追加の基材シートにつき繰り返される基材シートを選択的にパターン形成するこのサイクル、各シートは通常３Ｄ部品又は物体の層を表す。
【００２６】
材料供給器１０２は、基材材料１１８（例えば、炭素繊維、紙）をロール又はシート形態（ここでは例えばロール形態で示す）に保持し、画像形成デバイス１０４への移送のために基材材料を適正な位置に載置する。基材材料１１８は、移送サブシステム１１４を介して画像形成デバイス１０４に移送することができ、このデバイスは、ＡＭシステム１００を通って供給される基材材料の長さにより画定されるウェブを保持及び前進させるために使用される送りローラ１２２と共に、張力調整機構１２０を備えることができる。張力調整機構１２０は、基材材料１１８がＡＭシステムの構成要素を供給されたときに教えられた基材材料１１８を保持するように据えられた１つ以上のローラ１２４を備えることができる。基材材料１１８のウェブは、画像形成デバイス１０４、粉末サブシステム１０６、定着器１０８、センサ１１０を含む、ＡＭシステムの全ての構成要素を通って延在することができ、次いで、以下でより詳細に議論するように、積み重ねる前にカッタ１１２によって単一のシートに切断することができる。
【００２７】
次いで、画像形成デバイス１０４は、基材材料１１８上の正確な位置に画像様方式で接着剤（例えば、流体１２６）のパターンを堆積させることができる。流体１２６は、材料のいくつかの部分が３Ｄ物体のスライスの陽画像として液体で覆われ、材料のいくつかの部分は覆われないように、基材材料１１８上に選択的に堆積される。流体１２６のパターンは、様々な手法を介して堆積することができる。例えば、画像形成デバイス１０４は、流体を分注するための熱インクジェットヘッド又は圧電インクジェットヘッドを備えることができる。実施例では、画像形成デバイス１０４は、流体１２６を分注するために空気圧を加えることができる。画像形成デバイス１０４はまた、空気圧が空気の放出又は流体の分注を制御するために使用される場合は、電磁弁を備えてもよい。
【００２８】
いくつかの場合では、選択的に堆積される流体は、水の蒸発を遅らせる材料を含む水又は水溶液であってもよい。例えば、水溶液は２−ピロリジノンを含んでもよい。他の場合では、アルコールなどの異なる流体を選択的に堆積させることができる。例えば、基材材料１１８が水感受性のもの（例えば、ポリビニルアルコール、ＰＶＯＨ）である場合は、次いで、水が基材材料を変形させるか又は溶解することができる。その場合、アルコールが、選択的に堆積される流体として使用されてもよい。いくつかの場合では、選択的に堆積される液体流体が基材に拡散するか、又は過剰に吸収されるのを防止するために、液体流体を選択的に堆積させる前に、表面エネルギー調整剤又は撥水剤を基材に塗布することが有用である。
【００２９】
次いで、材料供給器１０２は、基材材料１１８を、別個の構成要素として又は単一の構成要素に一体化されるものとして提供することができる粉末塗布器１２８及び粉末除去器１３０を備える粉末サブシステム１０６に移送する。いずれの配置でも、粉末塗布器１２８は、３Ｄ物体の粉末（例えば、熱可塑性粉末）を基材材料上に堆積させるように構成される。粉末は、画像形成デバイス１０４によって湿潤された基材の領域、即ち層画像、に付着するように構成される。換言すれば、粉末塗布器１２８は、パターン形成された層形状がちょうど印刷された基材材料１１８の表面に、限定するものではないが、熱可塑性粉末などの粉末を堆積させる。粉末は、基材材料又はそのシート上の印刷された（湿潤）領域に付着するが、流体で覆われていない基材の部分には付着しない。
【００３０】
典型的な用途では、粉末塗布器１２８は、粉末を収容するトラフを備えることができる。トラフは、その下側にスリット状孔を有することができ、粉末サブシステムの電気機械的振動器に接続される。振動器は、作動時に、粉末を、それがトラフの下で移動する間に、スリット状孔を通ってトラフからトラフの外、基材上へと下方に流れるようにする。振動器は、下の基材上のパターン形成された流体の存在を感知するセンサ回路を備えることができる制御器１５０によって作動される。パターン形成された流体が完全に通過すると、振動器は停止して、トラフからの粉末の流れを止めることができる。
【００３１】
粉末は、他の手法によって選択的に堆積させてもよい。例えば、粉末は、基材の層の片側を粉末であふれさせ、次いで、基材の反対側を、熱印刷ヘッドなどの適切なデバイスで選択的に加熱することによって選択的に堆積させてもよい。この手法では、熱印刷ヘッドは、選択的にオン又はオフにすることができる、加熱素子の高解像度アレイを備える。加熱される領域では、粉末は溶融して、基板に付着する。付着されていない余剰な粉末は、例えば、粉末除去器１３０により余剰な粉末を吸引することによって除去されるか、又は余剰な粉末が重力を介して基材から落ちるように基材をひっくり返すことによって除去される。
【００３２】
代替的に、粉末は、電子写真印刷で用いられるものと同様の選択的堆積技術を使用して堆積されてもよい。この手法では、粉末粒子に電荷が付与され、この粉末粒子は、基材１１８に向けられ、次いで基材のいくつかの部分に選択的に付着するが、静電引力又は斥力により他の部分には付着しない。粉末粒子は、反対の電荷を有する基材の部分、又はそのような電荷を有する基材表面に隣接している部分に付着し、同じ電荷を有する基材の部分、又はそのような電荷を有する基材表面に隣接している部分から弾かれる。
【００３３】
代替的に、粉末は、磁気印刷で用いられるものと同様の選択的堆積技術を使用して堆積されてもよい。この手法では、粉末は、粉末と基材表面又は基材表面に隣接する基材層との間の静磁気相互作用に起因して、基材層のいくつかの部分に選択的に付着するが、他の部分には付着しない。例えば、粉末は、単一成分の磁性トナー、コロイド懸濁液（例えば、強磁性流体）、又は二成分トナーであってもよい。この手法では、マグネタイト又は酸化第二鉄（ＦｅＯ）などの様々な磁気顔料を、この手法でのトナー粉末に使用することができる。
【００３４】
上記の実施例の全てで、粉末を選択的に堆積させるステップは、固体粉末を非選択的に基材１１８方向に向けるサブステップを含むことができる。例えば、このサブステップは、基材の表面全体を粉末であふれさせることを含んでもよい。あるいは、例えば、電子写真又は磁気写真の例では、このサブステップは、基材層全体に向けて帯電又は磁化された粉末を送ることを含んでもよい。
【００３５】
更に図１を参照すると、次いで、粉末除去器１３０は、基材に付着しないどんな粉末も除去する。粉末は、例えば、余剰な粉末が粉末除去器に隣接して移動するときにそれを吸引することによって、基材から除去することができる。典型的な用途では、粉末除去器１３０は、サイクロン（後述する）に結合された真空モータを有する掃除機を備えることができる。動作中、掃除機は、基材に付着しない粉末を引き寄せる一方、印刷領域に塗布された粉末は残る。サイクロンは、当業者によく理解されているように、再利用のために、吸引された粉末を粉末塗布器１２８に再循環させることができる。ある状況では、いくらかの望まない粉末が依然として基材材料上に存在し得るため、掃除機からの粉末除去量は不十分であり得る。この理由で、粉末除去器１３０は、基材からどんな残留余剰粉末も除去するために掃除機の後にエアナイフを備えることができる。除去された余剰な粉末はまた、再使用のためにサイクロンによって粉末塗布器に再循環させることもできる。
【００３６】
粉末システム１０６は、基材材料１１８が画像形成デバイス１０４を通過すると、基材が自動的に粉末システム１０６を通って移動するように、連続的に稼働するために設定することができる。代替的に、転送サブシステム１１４、画像形成デバイス、及び粉末システム１０６と通信する制御器１５０は、粉末塗布器１２８及び粉末除去器１３０又はそのサブシステムに、適切な時間でオン及びオフをするように命令することができる。
【００３７】
基材１１８が粉末塗布され、余剰な粉末が除去された後、残りの粉末は、粉末が基材の印刷領域に更に永久的に付着してその後の処理ステップの間に変位、破壊、又は脱落から保護されるように基材上に溶融させることができる。この目的のために、任意選択の定着器１０８が、粉末システム１０６の後に配設されてもよい。定着器１０８は、粉末除去器１３０から出る基材の上方、下方、又はそれに隣接して配設されてもよい。定着器１０８は、限定するものではないが、例えば、パターン形成された粉末を溶融させて基材に固定するのに十分な放射加熱、ＩＲ加熱、又は他の加熱の手法であってもよい。基材１１８が粉末システム１０６から出て移動すると、定着器１０８からの熱が基材表面上の粉末を溶融させて、それを基材に固定させる。
【００３８】
ＡＭシステム１００は、任意選択で、システムが故障していないこと、適切な量の粉末が堆積されたこと、基材材料が所望どおりに移動していること、個々の基板シートが所望どおりに移動していること、及びプロセスの他の品質保証態様を保証するためにセンサ１１０（例えば、カメラなどの撮像デバイス）を有してもよい。センサは、例えば、制御器１５０からの入力に基づいて、又は印刷材料の縁部又は基材シートの検出時に自動的に動作することができる。
【００３９】
例示的なＡＭシステム１００で上述したように、基材材料１１８のロール１０２は、画像形成デバイス１０４の前に搭載され、据えられる。特定の定説に限定されるものではないが、基材材料１１８のウェブは、画像形成デバイス１０４、粉末サブシステム１０６、定着器１０８、センサ１１０を含むＡＭシステムの全ての構成要素を通って延在することができ、次いで、積み重ねの前にカッタ１１２によって、３Ｄ物体の層に対応する単一のシート１３２に切断することができる。実施例では、基材材料１１８のウェブは、カッタ１１２によって、プロセスの任意の先の点で単一のシート１３２に切断されてもよい。例えば、ウェブは、得られる基材シートを画像形成デバイス１０４に進める前に、単一のシートに変形されてもよい。同様に、ウェブは、画像形成デバイス１０４の後及び粉末サブシステム１０６の前で、又は粉末サブシステムの後及び定着器１０８の前で、又は定着器の後及びセンサ１１０の前で、単一のシートに変形されてもよい。実施例では、ウェブは、個々のシートに予め切断されて、シートがＡＭシステムによる個々の処理のために材料供給器によって保持されたシートの積み重ねとして配置されてもよい。カッタ１１２は、当業者によく理解されているように、機械的器具（例えば、刃、押抜き具）又は他の手法（例えば、レーザ）でシートを切断することができる。
【００４０】
実施例では、ＡＭシステム１００はまた、所望の位置に基材材料１１８又は基材シート１３２内に位置決め開口を載置するための穿孔デバイス１３４を備えてもよい。位置決め開口は、シート上に印刷されたパターン形成マーキング材料画像の正確な位置合わせのために、基材シートの位置に対して予め画定された位置に正確に載置される。これは、又は当該技術分野において周知の他の位置合わせ機構を使用して、移送サブシステム１１４によって移動される基材材料１１８に近接して穿孔デバイス１３４を、例えば、画像形成デバイス１０４及び粉末サブシステム１０６が載置される同じフレーム上に、搭載することによって、あるいは、当該技術分野で周知の他の位置合わせ機構を使用して達成することができる。穿孔デバイス１３４は、基材材料から位置決め開口を突き出し形成する硬質器具、又は基材材料から位置決め開口を切り取るレーザカッタを備えることができる。
【００４１】
３Ｄ物体を形成するＡＭプロセスを完了するために、粉末印刷基材シート１３２は、基材シートをそれらの位置決め開口を介して位置合わせして積み重ねられ、かつ、積み重ね基材シートを接着して結合された物体にするために一緒に融合され得る。次いで、コーティングされていない基材材料は、例えば、研磨剤ブラスト、化学的除去、又は溶解によって、結合された物体から除去することができる。スタッカサブシステム１１６は、前述の位置決め開口に基づいて、切断された印刷基材シート１３２を積み重ねるように構成される。図１に見られるように、スタッカサブシステム１１６は、印刷基材シート１３２を受け入れ、位置決め開口がスタッカサブアセンブリの位置決めピン１３６の周りに位置合わせされて、印刷シートのスタック１３８を形成する。
【００４２】
印刷シートを積み重ねた後、シートにパターン形成された粉末を結合して３Ｄ物体に硬化させることができる。図１は、圧縮されても基材シート１３２上の圧力を維持するための、１つ以上の弾性構成要素（例えば、ばね１４２）を含む圧縮デバイス１４０を備える、スタッカサブシステム１１６を示す。多数の基材シート（層）が、ベッドプレート１４４上に順に重ねて、スタッカサブシステム１１６内に載置された後で、挿入された基材シートは、ばね１４２と共に圧縮されて、上部プレート１４６に底部ベッドプレートに向かってプレッサをかける。
【００４３】
圧縮された積み重ね１３８は、例えば、オーブン（図示せず）内で加熱することができる。オーブンからの熱は、熱可塑性粉末を溶融させる。溶融された材料は、基材層をコーティングする。次いで、基板スタック１３８を内部に有する圧縮デバイス１４０がオーブンから取り出されて、基材層を冷却することが可能になる。次いで、溶融された材料が固化する。これにより、固化材料が、基材シート１３２を一緒に結び付け（融合す）る。次いで、余分な基材（固化した材料によって覆われていない）は、例えば、研磨剤吹付処理、化学的除去又は溶解によって、３Ｄ印刷された物体をもたらす。次いで、余分な基材（固化した材料によって覆われていない）は、上記のように、例えば、研磨剤ブラスト、化学的除去、又は溶解によって、取り除かれて、３Ｄ印刷物体をもたらす。
【００４４】
ＡＭシステム１００によって実行されるプロセスは、１つ以上の制御器１５０を使用して配列されかつ監視されてもよい。制御器１５０は、印刷される物体の３Ｄモデルに基づいて、外部コンピュータ（図示せず）によって生成されたビルド命令を読み取り、実行することができる。例えば、材料供給器１０２、画像形成デバイス１０４、粉末サブシステム１０６、定着器１０８、センサ１１０、カッタ１１２、移送サブシステム１１４、穿孔デバイス１３４及びスタッカサブシステム１１６は、制御器からの入力に基づいて、本明細書で論じられるように動作することができる。したがって、制御器１５０は、画像形成デバイス１０４と通信して示されているが、制御器はＡＭシステムの任意の構成要素と通信することができることが理解される。
【００４５】
図２は、印刷基材材料１１８を印刷繊維状基材シート１３２内に切断するように構成されたカッタ２０２の下でシート位置合わせされた、印刷シート繊維交絡装置２００を有する例示的なスタッカサブシステムを示す。例示的な繊維状シートは、剛性繊維（例えば、炭素）、弾性繊維（例えば、ケブラー、ナイロン、ポリエステル）、又はこれらの任意の組み合わせを含むことができる。交絡装置２００は、隣接する印刷基材シート１３２からの繊維を互いに交絡させて３Ｄ印刷物体を作製する、スタッカサブシステム１１６のタイプ又は一部であってもよい。以下でより詳細に論じられるように、印刷シートの積み重ね１３８が構築されると、針のアレイが、積み重ね内に突き刺さされ、繊維を、印刷マーキング材料１４８（例えば、粉末、溶融粉末）（図４）を通って隣接するシートの針孔内へと向け直す。特定の定説に限定されるものではないが、例示的な交絡装置２００は、ベッドプレート１４４、１つ以上の位置決めピン１３６、ガイドプレート２０４、針ボード２０６、及びフェルト針のアレイ２０８を備えることができる。
【００４６】
カッタ２０２は、パンチホルダ２１０、ダイホルダ２１２、及びパンチホルダとダイホルダの動作の位置合わせを維持するように構成されたガイドポスト２１４を有して図２に示されている。ガイドポスト２１４は、ダイホルダ２１２の対応する開口２１６に固定され、その上に垂直に立つことができる。パンチホルダ２１０は、ガイドポストをチャネルに嵌合させることによってパンチホルダとダイホルダ２１２の動作の垂直整合が保持されて、ガイドポスト２１４の上端部分２２０を受け入れるチャネル２１８を含むことができる。パンチホルダ２１０は、チャネル２１８とガイドポスト２１４との間にガイドブッシングを設けることができる。例示的なカッタ２０２は、ガイドポスト２１４がダイホルダ２１２の開口２１６内に固定され、パンチホルダ２１０のチャネル２１８内に摺動可能に係合されて示されているが、実施例はこの構成に限定されないことが理解される。なぜなら、ガイドポストは、開口及びチャネルのうちの少なくとも１つの内部に摺動可能に係合されてもよく、それによって、パンチホルダが、構成パンチホルダとダイホルダとの間に印刷基材材料１１８が供給される送達経路（例えば、水平な）に対して横断する方向（例えば、垂直に）でダイホルダとの間を往復するように構成されるからである。
【００４７】
パンチホルダ２１０は、パンチホルダ内に中心がある垂直なパンチキャビティを画定する内周側を有する下向きの周辺ストリッパ壁２２２を含む。ダイホルダ２１２は、下向きの周辺ストリッパ壁２２２に対向して、パンチホルダ２１０の垂直なパンチキャビティに対応する垂直なダイチャネルを画定する内周側を有する上向きのダイプレート２２４を含む。特定の定説に限定されるものではないが、ダイチャネルは、基材材料がそこを通過するのを可能にするために、積み重ねサブシステムの印刷シート繊維交絡装置２００上に載置するために、少なくとも、印刷基材材料１１８のウェブの切断された印刷基材シート１３２の寸法を有することができる。分離されると、パンチホルダ２１０及びダイホルダ２１２は、印刷基材材料１１８を受け入れるための間隙をそれらの間に画定し、この材料は、例えばＡＭシステム１００によって、方向矢印Ａにより示される印刷基材材料の送達経路（例えば、水平な）に沿った間隙を通って転送され得る。
【００４８】
パンチプレート２２６は、パンチホルダのパンチキャビティ内に挿入されることによって、パンチホルダ２１０に固設され得る。図２に見られるように、パンチプレート２２６は、整列したパンチキャビティ及びダイチャネル内で周辺に離間した関係に摺動可能に配置された切断部材である。このようにして、パンチプレート２２６は、印刷基材材料１１８の送達経路（例えば、水平な）を横断する方向（例えば、垂直な）で、パンチホルダ２１０内の凹位置と、印刷基材材料から印刷基材シート１３２を切断するための、ダイホルダ２１２のダイチャネル４０内に延在する切断位置（図２）との間を、往復するように構成される。パンチプレート２２６は、一般に、直方体として成形することができる。印刷シート繊維交絡装置２００との一体化を可能にするために、直方体は、開口を画定する内周側を有する中空直方体であってもよい。
【００４９】
上述したように、繊維交絡装置２００は、ベッドプレート１４４、１つ又は２つ以上の位置決めピン１３６、ガイドプレート２０４、針ボード２０６、及びフェルト針のアレイ２０８を備えることができる。ベッドプレート１４４は、切断された印刷基材シート１３２の積み重ねを支えるように構成される。基材シート１３２は、印刷繊維状シートが所望の３Ｄ物体のスライスのためのパターンが形成された、印刷繊維状シート、例えば、炭素繊維シートであってもよい。繊維状シートは、シート上に印刷されパターン形成されたマーキング材料画像の正確な位置合わせのために、シートに対して正確に所定の位置に載置された位置決め開口を含んでもよい。位置決め開口は、図１に例として示されるような上記の、移送サブシステム１１４によって移動される基材材料１１８に近接する穿孔デバイス１３４を介して形成されてもよい。位置決めピン１３６は、ベッドプレート１４４から延在し、切断された印刷基材シート１３２の位置決め開口を通って延在して、積み重ね構成でシートをベッドプレート上に整列させて保持して示されている。
【００５０】
更に図２を参照すると、印刷シート繊維交絡装置２００は、カッタ２０２．と一体化されて示されている。この一体化は、繊維交絡装置２００がカッタ２０２と一体化されてもよく、又は図１に示されるカッタ１１２などのカッタから分離されてもよいので、例示的な提示である。カッタ２０２の下で位置合わせされて示されるとき、パンチプレート２２６によって切断された個々の基材シート１３２は、ベッドプレート１４４上に落ちるか、又は以前に切断された隣接シート上に落下し、落下したシートは、シートの位置決め開口がそれぞれの位置決めピン１３６に落ちるときに位置合わせされる。ベッドプレート１４４及び位置決めピン１３６は、位置決めピンを保持し、それらをベッドプレート１４４及び積み重ねられた基材シート１３２の位置決め開口を通して所定の位置に固定する基部２２８も備える、スタッカサブシステム１６６の一部であってもよい。
【００５１】
当事者に容易に理解されるように、ガイドプレート２０４は、ベッドプレート１４４上で位置合わせされ得、ベッドプレートに向かう、印刷繊維状シートの積み重ねに対する第１の位置と、ベッドプレートから離れた、追加の印刷繊維状シート１３２を積み重ね上に載置することを可能にする第２の位置との間を往復するように構成される。ガイドプレート２０４は、そこを通って垂直に延在する針開口２３０のアレイを備える。針開口は、ガイドプレート２０４の表面平面にわたって概ね円形であってもよい。実施例では、針開口は、ガイドプレート表面平面にわたって楕円形又は細長いスロット形状などの他の形状を有してもよい。
【００５２】
フェルト針のアレイ２０８は、既知の方法で、針ボード２０６中の積み重ねられた繊維状基材シート１３２の上に搭載される。針ボード２０６のセグメントもまた、ガイドプレート２０４を通過する拡大図の針を示すために、図３に示されている。針ボード及びしたがってアレイ２０８のフェルト針２３２は、これも図示されていない従来の手法による往復によって、図２で例として示されるような切断された印刷基材シート１３２の積み重ね１３８を、少なくとも部分的に貫通して突き出るように配設される。図３及び図４に見ることができるように、フェルト針２３２は、シャンク２３４、シャンクの周辺表面上の返し棘２３６、及び針先２３８を備えることができる。特定の配置に限定されるものではないが、返し棘２３６は、上向きの返し棘２４０又は下向きに返し棘２４２であってもよく、上向きの返し棘は針ボード２０６に向いているか又は面しており、下向きの返し棘は針先２３８に向いているか又は面している。
【００５３】
針ボード２０６によって保持されたフェルト針のアレイ２０８は、ベッドプレート１４４に向かって突き出し、フェルト針のアレイはガイドプレート２０４の針開口２３０と位置合わせされている（図３）。往復するフェルト針２３３は、ガイドプレート２０４が印刷繊維状シート１３２の積み重ね１３８に対して位置決めされたときに針開口２３０を通って挿入されるように、更に、ガイドプレートに近接する印刷繊維状シートの少なくとも一部を通って挿入されるように、配設されてもよい。フェルト針２３０の印刷繊維状シート１３２の内外往復動作の間、返し棘２３６は、積み重ね１３８のシートから繊維２４４を掴み、隣接する積み重ねのシートに移動させることができる。繊維２４４は、繊維状シート１３２に対して実質的に垂直に移動するフェルト針２３０の返し棘２３６に引っ掛けられ、連続した針の移動で印刷された粉末を通って隣接するシート内に染み込む。図４は、フェルト針２３０の引き抜き後の繊維状シート１３２の積み重ね１３８の断面を示し、繊維２４４が、隣接するシートからの繊維との互いの交絡のために、針によって作製された孔及び繊維状シート状の印刷マーキング材料１４８を通って、積み重ねの隣接するシートまで移動している。
【００５４】
例示的な繊維交絡は、ガイドプレート２０４を備えていてもよく、又は、備えていなくてもよく、フェルト針２３２が、多くの場合、積み重ねの形成中に、積み重ねられたシートの全てでなくてもほとんどにわたって、隣接するシート間で繊維２４４を交絡させるのに十分に、繊維状シートの積み重ね１３８に突き刺さっていることが理解されよう。例えば、ガイドプレート２０４と共に使用される場合、印刷シート１３２の積み重ね１３８が構築される（例えば、積み重ね厚の約０．５〜３ｍｍの増加、積み重ね厚の１〜１０ｍｍの増加、積み重ね厚の１〜２５ｍｍ）につれて、ガイドプレート２０４を、時折、積み重ねの最上部シートに積むことができる。別の選択肢として、全てのシート１３２がベッドプレート１４４の上に位置位置付けられると、ガイドプレートは、位置決めピン１３６の上でシートを下方に移動させることができ、次いで、フェルト針２３２を積み重ねに突き刺すことができる。動作中、針２３２が積み重ね１３８に押し込まれるか、又はそこから引き出されると、返し棘２３６は、積み重ね内のシート１３２から、繊維２４４を、繊維が積み重ね全体にわたって絡み合わされるように、隣接するシートの針形成孔に押し込むか又は引き込む。例えば、フェルト針２３２が積み重ね１３８の中及び外に往復するとき、下向きの返し棘２４２は、繊維を、積み重ね内のより高いシートからより低いシートに押し込み、上向きの返し棘２４０は、繊維２４４を、積み重ね内のより低いシートからより高いシートに引っ張る。したがって、積み重ね全体を通して隣接するシートにわたった繊維２３２の絡み合いのおかげで、より強い３Ｄ物体が得られる。
【００５５】
針のアレイ２０８は、ガイドプレート２０４内の針開口２３０を通って、返し棘２３６が積み重ねに少なくとも数ｍｍ貫通して、積み重ね１３８に突き刺されてもよい。当然ながら、このような貫通の深さは、針の設計（例えば、返し棘から針先２３８までの距離）、切断された印刷基材シート１３２の積み重ねの底部までの針２３２の近さ、及び繊維を隣接するシートに下方に押し込むことができる距離によって影響され得る。ニードリング深さは、積み重ねの厚さ又は高さ全体にわたって繊維の絡み合いを保証するために、最後のニードリング以降の積み重ね厚の増加よりも大きくなることができる。例えば、ニードリング深さは、少なくとも、最後のニードリング以降の積み重ね厚の増加の分の２倍に針先２３８から針先に最も近い針の返し棘２３５までの長さを加えたものであってもよい。
【００５６】
典型的なニードリングは、針がフェルトの厚さでフェルトを何回も通過して生じる。特定の定説に限定されるものではないが、針２３２の積み重ね１３８内への貫通は、積み重ね全体を通過することなく止まることができる。積み重ね全体を貫通する針の貫通は、針先２３８又は針先との間の当接によって引き起こされるベッドプレート１４４への損傷を引き起こし得る。更に、ベッドプレート２４４に最も近い印刷された基材シートのいくつかは、印刷された基材シート１３２の積み重ねを針が貫通することなく、隣接するシートと交絡した繊維２４４を有さない場合がある。この状況を回避するために、３Ｄ物体の一部を形成するマーキング材料で印刷されていない初期の切断シート又はいくつかの他のバッファ層を、ベッドプレート１４４に隣接する積み重ね１３８の底部に載置することができる。積み重ねがほんのいくつかの基材シート１３２を有して薄い場合などに、積み重ね全体にわたる針の貫入を可能にするために、ベッドプレート１４４はまた、フェルト針２３２が、返し棘２３６がベッドプレートに近接した底部の印刷基材シートと繊維２４４を交絡させるのに十分深く少なくとも部分的にベッドプレート１４４に貫入することを可能にするフェルト針のアレイ２０８と位置合わせされた針開口のアレイ（図示せず）を有してもよい。
【００５７】
ガイドプレート２０４及びフェルト針のアレイ２０８はまた、後続のシートについての異なる位置に、積み重ね１３８に対して移動又はシフトされて、それぞれのスラストを積み重ね内に有した新しい針穴をシート内に形成してもよい。換言すれば、当業者に理解されるように、ガイドプレート２０４及び針アレイ２０８は、スラスト間でわずかに並進することができるはずであり、そのため、ニードリングの次のスラストは、わずかに新しい位置で生じ得る。ガイドプレートの針開口２３０がガイドプレート２０４の表面平面にわたって細長いスロット形状を有することができる実施例では、ボードは、後続のわずかに新しい位置での積み重ねへの挿入のために、フェルト針のアレイ２０８が印刷繊維状シート１３８の積み重ねからの引き抜きの後で、ガイドプレートに対して横方向に並進することができる。これにより、３Ｄ物体の全体にわたってより大きな繊維交絡の利益を提供することができる。
【００５８】
クロス層繊維の絡み合いは、印刷された３Ｄ断面の縮れた境界を低減することができる。これが懸念される場合、針アレイ２０８のフェルト針２３２は、断面の境界を避けるために選択的に係合させることができる。すなわち、３Ｄ物体の中実の印刷された部分内にニードリングが使用される一方で、３Ｄ物体の境界上の針は、針を積み重ね１３８に突き刺す針ボード２０６と係合しない。フェルト針２３２は、当業者に既知の従来の方法で針ボードと係合し、かつ、針ボードから係合解除することができる。制御器１５０は、形成される３Ｄ物体の形状、ニードリングされる３Ｄ物体の区域、針侵入及び交絡の深さなどの因子に基づいて、どのフェルト針が係合されるべきか又は係合解除されるべきかを判断することができる。
【００５９】
図５は、図１〜図４に示されるＡＭシステム１００及び印刷シート交絡装置２００での例示的なデバイスを自動的に制御する命令を実行するための制御器１５０のブロック図を示す。例示的な制御器１５０は、図１〜図４に示され、以下の図６でより詳細に説明するようなシステムでＡＭ  ３Ｄ物体形成プロセスを実行するための制御器への入力を提供することができ、又はその構成要素であってもよい。
【００６０】
例示的な制御システム１５０は、それによってユーザが例示的な制御システム１５０と通信することができる動作インターフェース５１０を備えることができる。動作インターフェース５１０は、ＡＭ  ３Ｄ物体形成システム１００と関連したローカルにアクセス可能なユーザインタフェースであってもよい。動作インターフェース５１０は、ユーザが例示的な制御システム１５０に情報を入力することを許容することができる制御デバイス及び／又は計算デバイスに共通する１つ以上の従来の機構として構成されてもよい。動作インターフェース５１０は、例えば、従来のキーボード、「ソフト」ボタン又は互換性のあるタッチペンと共に使用するための様々な構成要素を有するタッチスクリーン、ユーザが使用して、例示的な制御システム１５０に音声認識プログラムによって「翻訳」される口頭の命令を提供することができるマイクロフォン、又は、ユーザが使用して、特定の動作命令を例示的な制御システム１５０に通信することができる他の同様のデバイスを備えることができる。動作インターフェース５１０は、例示的な制御システム１５０が関連したＡＭシステムに搭載され、一体化され、又は関連したグラフィカルユーザインターフェース（ＧＵＩ）の一部又は機能であってもよい。
【００６１】
例示的な制御システム１５０は、例示的な制御システム１５０を個別に動作させ、ＡＭ  ３Ｄ物体形成のための効果制御及び動作機能を実行するための１つ以上のローカルプロセッサ５２０、具体的には、複合材ベースの層形成スキーム、及び層（例えば、シート１３２）を結び付けて３Ｄ物体にするための印刷シート繊維の交絡を実装するための１つ以上のローカルプロセッサ５２０を備えてもよい。プロセッサ５２０は、例示的な制御システム１５０の特定の機能を指示するための命令、並びにＡＭ  ３Ｄ物体形成プロセス及び／又は印刷シート繊維の交絡プロセスの例示的な制御システム１５０での制御を解釈し実行する、少なくとも１つの従来のプロセッサ又はマイクロプロセッサを備えてもよい。
【００６２】
例示的な制御システム１５０は、１つ以上のデータ記憶デバイス５３０を備えてもよい。このようなデータ記憶デバイス５３０は、例示的な制御システム１５０、具体的にはプロセッサ５２０によって使用されるデータ又は動作プログラムを記憶するために使用することができる。データ記憶デバイス５３０は、例えば、例示的な制御システム１５０が関連しているＡＭシステム内で３Ｄ物体を生成するための１つ以上の３Ｄ物体モデルに関する情報を記憶するために使用されてもよい。記憶された３Ｄ物体モデル情報は、上述の方法で３Ｄ物体を形成するための一連の２Ｄスライスの層の印刷のためのデータに移譲することができる。
【００６３】
データ記憶デバイス５３０は、ランダムアクセスメモリ（ＲＡＭ）、又は、例えば、プロセッサ５２０によってシステム動作を実行するための命令を別々に記憶するための、更新可能なデータベース情報を記憶することが可能な別のタイプの動的記憶デバイスを備えてもよい。データ記憶デバイス５３０はまた、従来のＲＯＭデバイス、又はプロセッサ５２０のための静的情報及び命令を記憶する別のタイプの静的記憶デバイスを備えてもよい。更に、データ記憶デバイス５３０は、例示的な制御システム１５０と一体であってもよいか、又はクラウドベースのデータ記憶構成要素として提供されることを含む、例示的な制御システム１５０の外部に提供され、有線又は無線通信してもよい。
【００６４】
例示的な制御システム１５０は、限定されるものではないが、例示的なＡＭシステム１００のＧＵＩ上の表示画面、及び／又は、制御システム１５０と関連する印刷シート繊維交絡装置２００を備え、ユーザに情報を出力する１つ以上の従来の機構として構成することができる少なくとも１つのデータ出力／表示デバイス５４０を備えることができる。データ出力／表示デバイス５４０は、デバイス内の複数の別個の処理ステーション又はサブシステムのうちの１つ以上での１つ以上の個別に制御された構成要素の動作を含む、例示的な制御システム１５０が関連することができるＡＭシステムによってもたらされる３Ｄ物体形成動作の状態をユーザに示すために使用することができる。
【００６５】
例示的な制御システム１５０は、１つ以上の別個の外部通信インターフェース５５０を備えることができ、このインターフェースによって例示的な制御システム１５０が、印刷シート繊維交絡装置２００などの例示的な制御システムの外部に存在することができる構成要素と通信することができる。外部通信インターフェース５５０のうちの少なくとも１つは、３Ｄ物体形成動作における制御機能の実行のためのモデリング情報を記憶する外部ＣＡＤ／ＣＡＭデバイスを接続することを支援する入力ポートとして構成されてもよい。例示的な制御システム１５０と外部の及び／又は関連する構成要素との間に有線又は無線通信を提供する任意の好適なデータ接続は、図示の外部通信インターフェース５５０によってもたらされることが企図される。
【００６６】
例示的な制御システム１５０は、分離された３Ｄ物体モデリング情報に従う製造過程の３Ｄ物体についての一連の２Ｄスライス（例えば、印刷された基材シート１３２）を生成する、基材材料１１８上の画像形成プロセス（例えば、画像形成デバイス１０４、粉末サブシステム１０６、定着器１０８）を制御するために使用することができる画像形成制御デバイス５６０を備えることができる。基材材料１１８は、画像形成デバイス１０４、粉末サブシステム１０６及び定着器１０８を通して供給されて、画像形成制御デバイス５６０の制御下で、基材材料上に形成されたマーキング材料画像を有することができる。基材材料は、印刷された基材ウェブとして粉末サブシステム１０６を出て、物体を形成するための印刷されたシート１３８の積み重ねを構成するために、ＡＭシステム１００の出力側で切断され、自動的に積み重ねられ得る。画像形成制御５６０は、データ記憶デバイス５３０のうちの１つ以上に結合されたプロセッサ５２０の一部又は機能として動作してもよく、又は例示的な制御システム１５０内の別個の独立型構成要素デバイスモジュール又は回路として動作してもよい。プロセッサ５２０又は画像形成制御デバイス５６０のいずれかは、入力３Ｄ物体モデル情報を解析して、ＡＭシステム１００内の基材材料１１８上の層ごとの２Ｄスライス材料層印刷スキームを決定し、実行することができる。
【００６７】
例示的な制御システム１５０は、データ記憶デバイス５３０のうちの１つ以上に結合された、又は例示的な制御システム１５０内の別個の独立型構成要素モジュール又は回路として結合された、ファイバ絡合積み重ね制御デバイス５７０を備えることができる。繊維交絡積み重ね制御デバイス５７０は、印刷シート積み重ねプロセス及び印刷シート繊維交絡プロセスのうちの１つ以上の機能を制御して、個々の印刷シートを互いに接合し、３Ｄ物体を形成することが可能であり得る。印刷基材ウェブが印刷基材シート繊維交絡積み重ねプロセスで使用される例では、同じ例示的な制御システム１５０が、カッタ２０２及び印刷シート繊維交絡装置２００を通した、繊維交絡積み重ねプロセスを制御するために使用可能であり得る。このような例では、カッタ２０２及びスタッカサブシステム１１６は、印刷基材ウェブが供給されたときに印刷基材シート１３２を印刷基材ウェブから隠し、後で使用するために印刷基材シートを精密な位置合わせで別々に積み重ねるのに使用可能であり得る。更に、印刷シート繊維交絡装置２００は、隣接する積み重ねられた印刷シートの繊維を絡み合わせることによって、別個の印刷シートを一緒に接着することができる。積み重ね１３８の加熱及び更なる押圧は、繊維交絡プロセスを減速させないために、必要に応じてオフラインで提供されてもよい。繊維交絡積み重ね制御デバイス５７０は、例えば、１つ以上のデータ記憶デバイス５３０に結合されたプロセッサ５２０の一部又は機能として、あるいは、例示的な制御システム１５０内の１つ以上の別個の独立型構成要素モジュール又は回路として動作してもよい。
【００６８】
例示的な制御システム１５０は、層になった支持構成要素構造体を除去し、３Ｄ物体を表面仕上げすることができる減法機械加工プロセスで、最終３Ｄ物体整形スキームを実行するための３Ｄ物体仕上げ器制御デバイス（図示せず）を備えることができる。上記で列挙された他の別個の制御デバイスと同様に、３Ｄ物体仕上げ器制御デバイスは、仕上げデバイスの動作を実行するための１つ以上のデータ記憶デバイス５３０に結合されたプロセッサ５２０の一部又は機能として動作してもよく、あるいは例示的な制御システム１５０内の別個の独立型構成要素モジュール又は回路として動作してもよい。
【００６９】
図５に示されるような例示的な制御システム１５０の様々な構成要素の全ては、１つ以上のデータ／制御バス５８０によって、内部に、並びに１つ以上のＡＭ物体形成デバイス及び／又はその構成要素に接続されてもよい。これらのデータ／制御バス５８０は、それらの構成要素の全てが、一体的に収容されているか、さもなくば、外部に収容されているかにかかわらず、例示的な制御システム１５０の様々な構成要素間に有線又は無線通信を提供することができ、かつ、例示的な制御システム１５０が関連付けられ得るＡＭシステム１００に接続され得る。
【００７０】
図５に一体型ユニットとして示されているが、例示的な制御システム１５０の様々な開示された要素は、単一ユニットに一体化されて、又は単一ユニットの外部に、そして、例示的な制御システムの単一ユニットと有線又は無線で通信して、個々の構成要素又は構成要素の組み合わせとしてサブシステムの任意の組み合わせに配置されてもよいことは理解されるべきである。換言すれば、一体型ユニットとして、又は支持ユニットとしての特定の構成は、図５の描写によって示されるべきでない。更に、本開示で提供される詳細を理解しやすくするために、例示的な制御システム１５０に関して個々のユニットとして示されているが、個々に示された構成要素のうちのいずれかの記載された機能、具体的には、図示された制御デバイスのそれぞれは、例えば、１つ以上のデータ記憶デバイス５３０に接続され、それと通信する１つ以上のプロセッサ５２０によって実行されてもよいことは、理解されるべきである。
【００７１】
開示される実施形態は、印刷繊維状シートの積み重ねを３Ｄ物体に接着するための、印刷繊維状シートの繊維交絡用の例示的な方法を含むことができる。図６は、このような例示的な方法のフローチャートを示す。図６に示すように、本方法の動作はステップＳ６００で開始され、ステップＳ６１０に進む。
【００７２】
ステップＳ６１０では、繊維を中に有する切断された繊維状シート１３２が、他の印刷繊維状シートの上に載置されて、図１の例によって見ることができるように、ベッドプレート１４４上に印刷繊維状シート１３８の積み重ねを形成する。各印刷繊維状シート１３２は、所望の３Ｄ物体のスライスとしてパターン形成することができ、少なくとも１つの位置決め開口を含むことができる。ステップＳ６１０で印刷繊維状シート１３２を載置することは、印刷繊維状シートを、印刷繊維状シートの位置決め開口を通って延在するベッドプレート１４４と位置合わせされた位置決めピン１３６を介して位置合わせさせることを含んでもよい。
【００７３】
ＡＭ方法の動作はステップＳ６２０に進み、ここで、ガイドプレート２０４が、印刷繊維状シートの積み重ねに押し付けられた第１の位置で、ガイドプレートで印刷繊維状シートの積み重ねに圧力を加え、ガイドプレートは、そこを通って垂直に延在する開口２３０のアレイを有する。本方法の動作は、ステップＳ６３０に進む。
【００７４】
ステップＳ６３０及びＳ６４０で、針ボード２０６によって保持されたフェルト針のアレイ２０８は、ガイドプレートの針開口のアレイ２３０を通って、及びガイドプレートに隣接する印刷繊維状シート１３２を通って往復される。具体的には、ステップＳ６３０で、ガイドプレート２０４がスタック１３８に押し付けられた第１の位置にあるときに、フェルト針２３２が開口のアレイ２３０を通って挿入される。フェルト針は、ガイドプレートに隣接する積み重ね内の印刷繊維状シート１３２を通って更に挿入される。次いで、ステップＳ６４０で、往復は、針ボード２０６が、フェルト針を印刷繊維状シートの積み重ねから引き抜かれて継続する。
【００７５】
上述のように、フェルト針は、往復することの間に、積み重ねの複数の印刷繊維状シートのうちの１つからの繊維を積み重ねの隣接する印刷繊維状シートの繊維と絡み合わせるように構成された返し棘２３６を有する。ステップＳ６３０及びステップＳ６４０の組み合わせでは、フェルト針２３２のアレイ２０８は、切断された印刷基材シート１３２の細長い平面に対して実質的に横断する方向で、パンチホルダ内の凹位置と印刷基材シートの積み重ね１３８内に延在する貫通位置との間を、往復するように設計されており、往復によって、フェルト針の返し棘２３６に、積み重ねられた印刷繊維シートからの繊維を隣接する印刷繊維シートに押し込ませ、かつ／又は引き込ませることにより、シート間の絡み合った繊維の交絡を介して接着が形成される。例えば、返し棘２３６のいずれかは、積み重ねの複数の印刷繊維状シートのうちの１つからの繊維を、ガイドプレートにより近い積み重ねの隣接する印刷繊維状シート内に引き込む上向きの返し棘であってもよい。更に、返し部２３６のうちのいずれかは、積み重ねの複数の印刷繊維状シートのうちの１つからの繊維を、返し棘でガイドプレートにより近い積み重ねの隣接する印刷繊維状シート内に押し込む下向きの返し棘であってもよい。
【００７６】
図６に示す本方法の動作は、ステップＳ６５０に進み、ここで、フェルト針のアレイ２０８及びガイドプレート２０４は、印刷シートの積み重ね１３８から取り除かれる。一旦フェルト針が積み重ね１３８から除去されると、次いで、ステップＳ６６０で動作が停止されて、例えば、上記で説明したように、積み重ねを加熱し押圧すること、又は積み重ねから余剰な基材を除去することなどの繊維交絡シートの積み重ねの更なる処理を可能にすることができる。動作は、代替的に、ステップＳ６１０を繰り返し、次いで、ステップＳ６３０及びＳ６４０を介して積み重ねに接着される追加の繊維状シートで積み重ねを増加させてもよい。
【００７７】
実施可能な方法ステップの例示的な描写されたシーケンスは、ステップに記載される機能を実装するための動作の対応するシーケンスの一実施例を表す。個々の方法ステップは、順番に、又は、平行して同時又はほぼ同時のタイミングで実施することができる。本方法の開示されたステップの特定の順序は、任意の特定の方法ステップが任意の他の方法ステップの実施に対する必要な前条件であると合理的に考慮される場合を除き、必ずしも図６の描写及び付随する記述によって示されない。個々の方法ステップは、同時タイミング又は同時タイミングの同時又は同時タイミングで実行されてもよい。追加的に、描写され記述された方法ステップの全てが、本開示による任意の特定のスキームに含まれる必要はない。
【００７８】
当業者であれば、開示される主題の他の実施形態は、多くの異なる構成で、３Ｄのインク塗布システムに共通する多くの種類の画像形成要素を用いて実施され得ることを理解するであろう。例えば、単一パスのマーキング材料の堆積が議論された実施形態に示されているが、実施例は、３Ｄ物体形成システム及び方法を含むマルチパスのシステム及び方法に適用することができる。また、片面印刷が、議論された実施形態で示されているが、実施例は、多面印刷に適用することができる。これらは、開示されたスキームに従って行われ得る変形形態の非限定的な実施例であることは理解されるべきである。換言すれば、特定の限定的な構成が、上記の説明及び付随する図面から示されるべきではない。
【００７９】
様々な上記で開示された及び他の特徴及び機能、又はこれらの代替物が、他の異なるシステム又は用途に組み合わされ得ることが理解されるであろう。また、現在予想又は予測されてないそこでの様々な代替物、修正物、変形物、又は改善物は、その後に当業者によって行われてもよい。
【図１】
2020165072.tif 000003
【図２】
2020165072.tif 000004
【図３】
2020165072.tif 000005
【図４】
2020165072.tif 000006
【図５】
2020165072.tif 000007
【図６】
2020165072.tif 000008